(57)【要約】【課題】  負荷側端子に電線が挿入された状態でも測定孔を視認し易く、プローブを挿入し易い配線用遮断器を提供する。【解決手段】  遮断器ハウジング１０の背面に複数の電源側端子２、前面に複数の負荷側端子３、上面に負荷側端子３の出力をオン／オフ操作する操作ハンドル４が配置され、負荷側端子３は縦に一列に配設されると共に、電線８を挿入するだけで接続される速結端子で構成され、遮断器ハウジング１０前面の個々の負荷側端子近傍には絶縁抵抗測定用の測定孔６が設けられている。この測定孔６は負荷側端子３の列上に無く左右何れかにずれた位置に配置されている。【選択図】  図１
2018185995.tif 000002
【特許請求の範囲】
【請求項１】
遮断器ハウジングの背面に複数の電源側端子、前面に複数の負荷側端子、上面に前記負荷側端子の出力をオン／オフ操作する操作ハンドルが配置されて、前記負荷側端子が縦に一列に配設されると共に、電線を挿入するだけで接続される速結端子で構成され、過電流が前記電源側端子と前記負荷側端子の間の電路に流れたら前記電路を遮断する遮断機能を備えた配線用遮断器であって、
前記遮断器ハウジング前面の個々の前記負荷側端子の近傍には、絶縁抵抗測定用の測定孔が設けられており、
前記測定孔は前記負荷側端子の列上に無く、左右何れかにずれた位置に配置されて成ることを特徴とする配線用遮断器。
【請求項２】
前記遮断器ハウジングの前面は斜め上方を向くよう傾斜形成されていると共に、前記負荷側端子の数に合わせて凹部と凸部が縦方向に周期的に配置されて階段状を成し、
前記負荷側端子の個々の電線挿入孔は前記凹部に形成され、個々の前記測定孔は前記凸部の上部に形成されて成ることを特徴とする請求項１記載の配線用遮断器。
【請求項３】
前記測定孔は、前記負荷側端子の斜め下或いは斜め上に配置されて成ることを特徴とする請求項１又は２記載の配線用遮断器。
【発明の詳細な説明】
【技術分野】
【０００１】
本発明は、分電盤内等に設置される配線用遮断器に関し、詳しくは遮断器ハウジングの高さ方向に端子を一列に配置して幅を狭く形成した配線用遮断器に関する。
【背景技術】
【０００２】
電源側端子及び負荷側端子を遮断器のハウジング高さ方向に一列に配置してハウジングの幅を狭くした配線用遮断器がある。例えば、特許文献１に開示された配線用遮断器では、電源側端子にプラグイン式を採用すると共に負荷側端子に速結端子を採用して、ハウジングの幅を従来の約２分の１としている。
図６はこの従来の配線用遮断器の斜視図であり、傾斜形成された前面に負荷側端子３０が縦に一列に配置され、上端に速結端子に挿入した電線の係止を解除する解除レバー３１が設けられ、各負荷側端子の直下には絶縁抵抗測定用の測定孔３２が設けられている。
【先行技術文献】
【特許文献】
【０００３】
【特許文献１】特許第４８１３９５７号公報
【発明の概要】
【発明が解決しようとする課題】
【０００４】
上記従来の配線用遮断器は、測定孔３２が負荷側端子３０と同一面に配置されているため、分電盤に組み付けた状態でも測定孔が塞がれることが無く、プローブを差し込んで絶縁抵抗を測定することができた。
しかしながら、図６に示すように測定孔３２は負荷側端子３０の直下に設けられているため、電線が接続された状態では測定孔３２が確認し辛らかった。特に、分電盤内に組み付けた状態では、遮断器前面が上下何れかに向けられて設置されるため、確認し辛く測定作業が面倒であった。
【０００５】
そこで、本発明はこのような問題点に鑑み、負荷側端子に電線が挿入された状態でも測定孔を視認し易く、プローブを挿入し易い配線用遮断器を提供することを目的としている。
【課題を解決するための手段】
【０００６】
上記課題を解決する為に、請求項１の発明は、 遮断器ハウジングの背面に複数の電源側端子、前面に複数の負荷側端子、上面に負荷側端子の出力をオン／オフ操作する操作ハンドルが配置されて、負荷側端子が縦に一列に配設されると共に、電線を挿入するだけで接続される速結端子で構成され、過電流が電源側端子と負荷側端子の間の電路に流れたら電路を遮断する遮断機能を備えた配線用遮断器であって、遮断器ハウジング前面の個々の負荷側端子の近傍には、絶縁抵抗測定用の測定孔が設けられており、測定孔は負荷側端子の列上に無く、左右何れかにずれた位置に配置されて成ることを特徴とする。
この構成によれば、測定孔は負荷側端子が配置されている列上には無く、ずれた位置に配置されているため、負荷側端子に電線が接続されていても上方から測定孔を視認し易く、分電盤に組み付けた状態でも前方から測定孔を確認し易い。
【０００７】
請求項２の発明は、請求項１に記載の構成において、遮断器ハウジングの前面は斜め上方を向くよう傾斜形成されていると共に、負荷側端子の数に合わせて凹部と凸部が縦方向に周期的に配置されて階段状を成し、負荷側端子の個々の電線挿入孔は凹部に形成され、個々の測定孔は凸部の上部に形成されて成ることを特徴とする。
この構成によれば、測定孔は傾斜形成された遮断器ハウジング前面において凸部の上部に形成されるため、上方から視認し易い。
【０００８】
請求項３の発明は、請求項１又は２に記載の構成において、測定孔は、負荷側端子の斜め下或いは斜め上に配置されて成ることを特徴とする。
この構成によれば、負荷側端子の電線を挿入する端子孔と測定孔とを横方向にずらしても大きく離すことなく配置でき、従来の遮断器ハウジングの幅を変えること無く測定孔を形成できる。
【発明の効果】
【０００９】
本発明によれば、測定孔は負荷側端子が配置されている列上には無く、ずれた位置に配置されているため、電線が接続されていても測定孔を上方から視認し易い。よって、分電盤に組み付けた状態でも前方から測定孔を確認し易い。
【図面の簡単な説明】
【００１０】
【図１】本発明に係る配線用遮断器の一例を示す斜視図である。
【図２】Ａ部の拡大図であり、（ａ）は電線が挿入された状態、（ｂ）は電線挿入前の状態を示している。
【図３】図１の平面図であり、（ａ）は電線を挿入していない状態、（ｂ）は電線を挿入した状態を示している。
【図４】配線用遮断器の側面図である。
【図５】内部を透視した部分側面図である。
【図６】従来の配線用遮断器の斜視図である。
【発明を実施するための形態】
【００１１】
以下、本発明を具体化した実施の形態を、図面を参照して詳細に説明する。図１−３は本発明に係る配線用遮断器の一例を示し、図１は斜視図、図２はＡ部拡大図、図３は平面図である。図示するように、配線用遮断器１は遮断器ハウジング１０の背面に電源側端子２が設けられ、前面に負荷側端子３が形成されている。また遮断器ハウジング１０の上面に負荷側端子３の出力をオン／オフ操作する操作ハンドル４、負荷側端子３に挿入された分岐電路を形成する電線８の抜き取りを可能とする解除レバー５が設けられ、各負荷側端子３には絶縁抵抗測定用の測定孔６が近傍に設けられている。
【００１２】
尚、電源側端子２と負荷側端子３の各極は途中に開閉接点（図示せず）が設けられた内部電路で接続されており、操作ハンドル４の操作で開閉接点は開閉されて負荷側端子３の出力オン／オフ操作が成される。また、遮断器ハウジング１０内には、内部電路に過電流が流れたらそれを検知する過電流検知手段、過電流が流れたら開閉接点を開操作して電路を遮断する遮断機構が組み込まれている。
【００１３】
電源側端子２は、単相３線式電路の３層で配置された銅バー（図示せず）を把持して連結されるよう上下方向に３つの銅バー把持部Ｐ１，Ｐ２，Ｐ３を有して形成され、上部の銅バー把持部Ｐ１が中性極端子、中央及び下部の銅バー把持部Ｐ２，Ｐ３が電圧極端子となっている。各電源側端子２は、コ字状の端子金具を有し、分電盤内等に配設された導体バー（図示せず）を挿入するだけで接続可能なプラグイン式の端子として形成されている。
【００１４】
負荷側端子３は、縦に配置されて電線８が挿入される３つの端子孔Ｌ１，Ｌ２，Ｌ３から成り、各端子孔Ｌ１，Ｌ２，Ｌ３の内部には挿入された電線８が電気的に接続される端子金具が配置されている。３つの端子孔Ｌ１，Ｌ２，Ｌ３のうち特定の２つの端子孔に電線８が挿入されて使用されるが、図１等では説明の都合上３本の電線８を負荷側端子３に接続した状態を示している。
３つの端子孔Ｌ１、Ｌ２、Ｌ３は、上下方向へ一列に配設されており、中央の端子孔Ｌ２が中性極端子孔、上部の端子孔Ｌ１及び下部の端子孔Ｌ３が電圧極端子孔となっている。
【００１５】
このようにプラグイン式の電源側端子２、及び速結端子から成る負荷側端子３が縦配置されることで、遮断器ハウジング１０は四角形の箱体であるが幅は略１０センチメートルと薄く形成されている。また、負荷側端子３を配置した前面は、分電盤に組み付けた状態で前方から視認し易いよう斜め上方を向くよう傾斜形成されている。尚、分電盤に組み付けた状態では操作ハンドル４を設けた上面が前方に向けられる。
【００１６】
そして、測定孔６は負荷側端子３のそれぞれに対して設けられ、端子孔Ｌ１，Ｌ２，Ｌ３の近傍に設けられている。具体的に、個々の端子孔Ｌ１，Ｌ２，Ｌ３の斜め下（左下）に形成され、測定孔６の列は負荷側端子３の列に隣接して平行に配設されている。
図３の平面図に示すＭ１は測定孔６の列の中心線を示し、Ｍ２は負荷側端子３の列（端子孔Ｌ１，Ｌ２，Ｌ３の列）の中心線を示しており、双方の列は近接した状態で平行に配設されていることを示している。
【００１７】
また、遮断器ハウジング１０の前面は、個々の端子孔Ｌ１，Ｌ２，Ｌ３の位置に合わせて縦方向に周期的な凹凸が設けられ、負荷側端子３の形成部は３段から成り階段状に形成されている。そして、個々の凹部Ｄ１に負荷側端子３が形成され、個々の凸部Ｄ２に測定孔６が形成されている。
負荷側端子３は、各凹部Ｄ１において遮断器ハウジング１０の傾斜した前面に直交する方向に端子孔Ｌ１，Ｌ２，Ｌ３を穿設して形成され、測定孔６は各凸部Ｄ２の上面９において下方に向けて凹設されている。
【００１８】
図４，５は、配線用遮断器１の側面図であり、図４は電線８の挿入角度を示し、図５は内部を透視した部分図でありプローブ２０の挿入角度を示している。図４，５に示すように、負荷側端子３は遮断器ハウジング１０の前面に対して直交する斜め上方から電線８が挿入されるよう端子孔Ｌ１，Ｌ２，Ｌ３が形成され、測定孔６は遮断器ハウジング１０の上面に直交する鉛直方向から下に向けてプローブ２０が挿入されるよう形成されている。
また、負荷側端子３を構成する端子金具は、速結端子を形成する電線接続金具１１と、内部電路に一体形成された端子座金具１２とから成り、図５に示すように、挿入されたプローブ２０は端子座金具１２の端部に接触するよう構成されている。端子座金具１２は、斜め上方に向けて配設されて形成され、その端部が水平方向に折り曲げられて形成され、凹設された測定孔６の底部に配置されている。その結果、上方から挿入されたプローブ２０はこの端子座金具１２に先端が良好に接触する。
【００１９】
尚、電線接続金具１１は、挿入された電線８と電気的に接続される接続バネ１１ａと、電線が接続バネ１１ａに接続された状態で抜け止めを図る抜け止めバネ１１ｂとから構成され、端子孔Ｌ１，Ｌ２，Ｌ３から挿入された電線８は、ネジ止め等の連結操作をすることなく電気的に接続が成される。また電線接続金具１１は、端子座金具１２の上部に配置され、端子座金具１２に密着するように配置されている。
【００２０】
このように、測定孔６は負荷側端子３が配置されている列上には無く、ずれた位置に配置されているため、電線８が接続されていても測定孔６を上方から視認し易く、分電盤に組み付けた状態でも前方から測定孔６を確認し易い。
また、測定孔６を端子孔Ｌ１，Ｌ２，Ｌ３の斜め下に配置するため、負荷側端子３の電線８を挿入する端子孔Ｌ１，Ｌ２，Ｌ３と測定孔６とを横方向にずらしても大きく離すことなく配置でき、従来の遮断器ハウジング１０の幅を変えること無く測定孔６を形成できる。
更に、測定孔６は、傾斜形成された遮断器ハウジング１０の前面において凸部Ｄ２の上部に形成されるため、上方から視認し易い。加えて、測定孔６は下方に向けて凹設されているため、プローブ２０を上方から、即ち分電盤に組み付けた状態では前方からの挿入操作により容易に測定できる。
【００２１】
尚、上記実施形態では、測定孔６を対応する負荷側端子３の斜め下に設けているが、斜め上方に設けても良い。また、負荷側端子３の左下に設けているが右下であっても良い。
【符号の説明】
【００２２】
１・・配線用遮断器、２・・電源側端子、３・・負荷側端子（速結端子）、４・・操作ハンドル、Ｌ１，Ｌ２，Ｌ３・・端子孔（電線挿入孔）、６・・測定孔、８・・電線、９・・上面、１０・・遮断器ハウジング、Ｄ１・凹部、Ｄ２・・凸部。
【図１】
2018185995.tif 000003
【図２】
2018185995.tif 000004
【図３】
2018185995.tif 000005
【図４】
2018185995.tif 000006
【図５】
2018185995.tif 000007
【図６】
2018185995.tif 000008